(57)【特許請求の範囲】
【請求項１】
伸縮性編地からなり表面にプリント加工が施されたバンド部が衣類本体部に縫着されており、前記バンド部の伸縮性編地は天竺編組織で編成され、弾性糸を含む編み糸でニットのみで編成する２〜３コースと、弾性糸で１ニットあるいは１タックと１〜３ミスとを繰り返して編成する１コースとを交互に設け、前記伸縮性編地を二つ折りにして前記バンド部を形成していることを特徴とするバンド部を備えた衣類。
【請求項２】
前記バンド部のプリント加工を施した部分を非伸長状態から５〜２０％伸長させても、プリント加工前の生地色が表面に現出しない請求項１に記載のバンド部を備えた衣類。
【請求項３】
ニットのみで編成する前記２〜３コースの弾性糸を含む編み糸として、非弾性糸に弾性糸を添えた編み糸を用い、前記非弾性糸として５６〜１５６デシテックスのポリエステル糸を用い、前記非弾性糸に添える弾性糸として２２〜４４デシテックスのベアのポリウレタン糸あるいは２２〜４４デシテックスのベアのポリウレタン糸の外周に１０〜３３デシテックスのナイロン糸を巻き付けたシングルカバリングヤーンを用いている一方、
１ニットあるいは１タックと１〜３ミスを繰り返して編成する前記１コースの弾性糸として、２３５〜３１０デシテックスのベアのポリウレタン糸の外周に５６〜８４デシテックスのポリエステル糸を巻き付けたシングルカバリングヤーンを用いている請求項１または請求項２に記載のバンド部を備えた衣類。
【請求項４】
ニットのみで編成する前記２〜３コースの編密度は、コース方向で１インチ当たり６０〜８０コースとし、ウエル方向で１インチ当たり６０〜８０ウエルとしている請求項１乃至請求項３のいずれか１項に記載のバンド部を備えた衣類。
【請求項５】
前記バンド部の伸縮性編地に施すプリント加工をインクジェット方式によるプリント加工とし、前記バンド部の伸縮性編地に文字および模様を含む柄をプリントしている請求項１乃至請求項４のいずれか１項に記載のバンド部を備えた衣類。
【請求項６】
前記バンド部を備えた衣類を下半身用衣類とし、前記バンド部を前記下半身用衣類の腰ゴムあるいは／および裾口ゴムとして取り付けている請求項１乃至請求項５のいずれか１項に記載のバンド部を備えた衣類。
【請求項７】
前記バンド部を備えた衣類をブラジャーとし、前記バンド部を前記ブラジャーの土台部あるいは／およびバック部の下端に取り付けている請求項１乃至請求項５のいずれか１項に記載のバンド部を備えた衣類。
【発明の詳細な説明】
【技術分野】
【０００１】
本発明はバンド部を備えた衣類に関し、詳しくは、表面にプリント加工が施されデザイン性を付与したバンド部を衣類に備えたものである。
【背景技術】
【０００２】
従来、バンド部を備えた衣類１００として、特開２００２−３２７３０２号公報（特許文献１）には、図６（Ａ）のように、本体部１０１と上端のバンド部（ウエスト部）１０２とが横編機で一体的に成形されたニットパンツが開示され、バンド部１０２は、図６（Ｂ）のように、連続編成された編地の端部を折り返して縫着した袋状編地としていることが示されている。
【０００３】
また本出願人は、バンド部を備えた衣類１１０として、特開２００９−２３５６２４号公報（特許文献２）において男性用下半身下着を提案している。該衣類１１０は、図７に示すように、左右の前身頃布１１１ａ、後身頃布１１１ｂ、左右のマチ布１１１ｃおよびシック布１１１ｄからなる本体部１１１の上端にバンド部１１２（腰ゴム）を縫着して形成している。該バンド部１１２としては、「織ゴム」と称され経編機等で製造される弾性細巾経編物が一般的に用いられている。
【先行技術文献】
【特許文献】
【０００４】
【特許文献１】特開２００２−３２７３０２号公報
【特許文献２】特開２００９−２３５６２４号公報
【発明の概要】
【発明が解決しようとする課題】
【０００５】
前記特許文献１の衣類１００では前記のように本体部１０１とバンド部１０２が一体的に成形されているため、バンド部１０２のみにプリント加工を施してデザイン性を付与することができないという問題がある。
また、前記特許文献２の衣類１１０の本体部１１１に縫着されるバンド部１１２として一般的に用いられる織ゴムは表面にプリント加工を施すことが難しく、仮にプリント加工した場合でも、インクが浸透せず染めきれなかった編目間の生地色が着用時の伸長状態で表面に現出し、プリントした柄等を鮮明に保持することができないという問題がある。また、織ゴムからなるバンド部１１２は、肌触りなど着用感の点でもさらなる改善の余地がある。
【０００６】
本発明は前記問題に鑑みてなされたものであり、良好な着用感を与えると共にプリント加工が施され着用時の伸長状態でもプリントされた柄等が鮮明に保持されるデザイン性のあるバンド部を衣類に具備させることを課題としている。
【課題を解決するための手段】
【０００７】
前記課題を解決するため、本発明は、伸縮性編地からなり表面にプリント加工が施されたバンド部が衣類本体部に縫着されており、前記バンド部の伸縮性編地は天竺編組織で編成され、弾性糸を含む編み糸でニットのみで編成する２〜３コースと、弾性糸で１ニットあるいは１タックと１〜３ミスとを繰り返して編成する１コースとを交互に設け、前記伸縮性編地を二つ折りにして前記バンド部を形成していることを特徴とするバンド部を備えた衣類を提供している。
【０００８】
前記のように、本発明のバンド部を備えた衣類では、プリント加工を施すバンド部を、該バンド部以外の衣類本体部とは別体の伸縮性編地から形成している。よって、編み立てたバンド部用の伸縮性編地に予めプリント加工を施し、その後、裁断、両端縫着、プレス（２つ折り）等の工程を経て、衣類本体部に縫着、一体化するだけで、バンド部にプリント柄を設けた衣類を容易に製造することができる。また、バンド部を形成する伸縮性編地では、編み糸や編組織を適宜選択することで、前倒れやずり下がり等を防止する適度なパワーとソフトな肌触りを実現できると共に、編密度を高めに設定して着用時の伸長状態でもプリント加工前の生地色が表面に現出するのを防止することができる。即ち、本発明によれば、良好な着用感を与えかつ着用時の伸長状態でもプリントされた柄等が鮮明に保持されるデザイン性豊かなバンド部を衣類に設けることができる。
【０００９】
具体的には、本発明の衣類に設けたバンド部は、着用時の伸長状態、即ち、前記バンド部を非伸長状態から５〜２０％伸長させても、プリント加工前の生地色が表面に現出しないものとしている。
【００１０】
前記のように、本発明のバンド部の伸縮性編地は天竺編組織で編成され、弾性糸を含む編み糸でニットのみで編成する２〜３コースと、弾性糸で１ニットあるいは１タックと１〜３ミスとを繰り返して編成する１コースとを交互に設け、前記伸縮性編地を二つ折りにして前記バンド部を形成している。
【００１１】
前記のように、バンド部の伸縮性編地を天竺編組織とし、弾性糸を含む編み糸でニットのみ（すべての針でニット）で編成する２〜３コースを繰り返し設ける構成とすることで、適度なパワーとソフトな肌触りが得られると共に、バンド部を非伸長状態から５〜２０％伸長させてもプリント加工前の生地色が表面に現出しない程度に編密度を高めることができる。前記効果を得るために、特に、前記弾性糸を含む編み糸として、非弾性糸に弾性糸を添えた編み糸を用い、ニットのみで編成する前記２〜３コースの非弾性糸として５６〜１５６デシテックスのポリエステル糸を用い、前記非弾性糸に添える弾性糸として２２〜４４デシテックスのベアのポリウレタン糸あるいは２２〜４４デシテックスのベアのポリウレタン糸の外周に１０〜３３デシテックスのナイロン糸を巻き付けたシングルカバリングヤーンを用いていることが好ましい。
【００１２】
また、前記ニットのみで編成する２〜３コースの後に、弾性糸で１ニットあるいは１タックと１〜３ミスを繰り返して編成する１コースを設けておくことで、プリント加工時の加熱による伸縮性編地の劣化を防止して該編地のパワーを保持させることが可能となる。前記効果を得るために、特に、１ニットあるいは１タックと１〜３ミスを繰り返して編成する前記１コースの弾性糸として、２３５〜３１０デシテックスのベアのポリウレタン糸の外周に５６〜８４デシテックスのポリエステル糸を巻き付けたシングルカバリングヤーンを用いていることが好ましい。
【００１３】
ニットのみで編成する前記２〜３コースの編密度は、コース方向で１インチ当たり６０〜８０コースとし、ウエル方向で１インチ当たり６０〜８０ウエルとしていることが好ましい。
【００１４】
前記２〜３コースの編組織が、コース方向で１インチ当たり６０コース未満であったり、ウエル方向で１インチ当たり６０ウエル未満であったりすると、バンド部を非伸長状態から５〜２０％伸長させた場合にプリント加工前の生地色が表面に現出するおそれがある一方、前記２〜３コースの編組織が、コース方向で１インチ当たり８０コースを越えたり、ウエル方向で８０ウエルを超えたりすると編地の伸縮性ならびに形体安定性が大幅に低下し、バンド部としての機能が果たせなくなるおそれがある。
【００１５】
前記バンド部の伸縮性編地に施すプリント加工はインクジェット方式によるプリント加工とし、前記バンド部の伸縮性編地に文字および模様を含む柄をプリントしていることが好ましい。
【００１６】
前記インクジェットプリント方式によるプリント加工は、スクリーンプリント方式のような製版が不要で色数にも制限がないため、多種多様な柄を容易にプリントすることが可能である。しかし、前記インクジェットプリント方式に限定されず、スクリーンプリント方式や転写プリント方式など他の方式によるプリント加工でもよい。
【００１７】
前記バンド部を備えた衣類を下半身用衣類とし、前記バンド部を前記下半身用衣類の腰ゴムあるいは／および裾口ゴムとして取り付けていることが好ましい。特に、前記バンド部を男性用パンツの腰ゴムとして取り付けていることが好ましく、ボクサーパンツ、トランクス型パンツ、ブリーフ型パンツのいずれのパンツにも適用可能である。
一方、前記バンド部を備えた衣類をブラジャー、特にスポーツ用等のかぶりタイプのブラジャーとし、前記ブラジャーの土台部あるいは／およびバック部の下端に前記バンド部を取り付けることもできる。
【発明の効果】
【００１８】
前述したように、本発明のバンド部を備えた衣類では、プリント加工を施すバンド部を、該バンド部以外の衣類本体部とは別体の伸縮性編地から形成しているため、編み立てたバンド部用の伸縮性編地に予めプリント加工を施し、その後、裁断、両端縫着、プレス（２つ折り）等の工程を経て、衣類本体部に縫着、一体化するだけで、バンド部にプリント柄を設けた衣類を容易に製造することができる。また、バンド部を形成する伸縮性編地では、編み糸や編組織を適宜選択することで、前倒れやずり下がり等を防止する適度なパワーとソフトな肌触りを実現できると共に、編密度を高めに設定して着用時の伸長状態でもプリント加工前の生地色が表面に現出するのを防止することができる。即ち、本発明によれば、良好な着用感を与え、かつ着用時の伸長状態でもプリントされた柄等が鮮明に保持されるデザイン性豊かなバンド部を衣類に設けることができる。
【図面の簡単な説明】
【００１９】
【図１】第１実施形態のバンド部を備えた衣類（男性用パンツ）を示し、（Ａ）は正面図、（Ｂ）は背面図である。
【図２】衣類本体部に縫着されるバンド部を示す概略斜視図である。
【図３】バンド部を形成する伸縮性編地の編組織を示す説明図である。
【図４】第３実施形態のバンド部を備えた衣類（ブラジャー）を示し、（Ａ）は正面図、（Ｂ）は背面図である。
【図５】第４実施形態のバンド部を備えた衣類（レギンス）の正面図である。
【図６】従来例を示す図である。
【図７】従来例を示す図である。
【発明を実施するための形態】
【００２０】
以下、本発明の実施形態を図面を参照して説明する。
図１乃至図３は第１実施形態のバンド部を備えた衣類として下半身用衣類１を示している。本実施形態における下半身用衣類１は、図１（Ａ）、（Ｂ）に示すような男性用パンツ（ボクサーパンツ）とし、伸縮性編地からなる左右一対の前身頃布２ａ、後身頃布２ｂ、左右一対のマチ布２ｃおよびシック布２ｄを縫着してなる衣類本体部２の上端に、該衣類本体部２の伸縮性編地とは別体の伸縮性編地からなり表面に柄がプリントされた細巾環状のバンド部３を腰ゴムとして縫着することにより男性用パンツ１を形成している。
【００２１】
バンド部３を形成する伸縮性編地の編組織は天竺編組織とし、図３に示すように、非弾性糸１０と弾性糸１１からなる添え糸でニットのみで編成（すべての針でニット）した３コース（Ａ）と、弾性糸１２で１ニットと１ミスを繰り返して編成した１コース（Ｂ）とを交互に設けている。なお、添え糸の弾性糸１１は、伸縮性編地の裏面に表出する裏糸として添えられ、ニットのみで編成するコース数を２コースとしてもよい。また、弾性糸１２で編成する１コースでは１ニットの代わりに１タックとしてもよく、また１ミスの代わりに２ミスまたは３ミスとしてもよい。
【００２２】
ニットのみで編成する前記３コース（Ａ）の非弾性糸１０として、５６〜１５６デシテックスのポリエステル糸［本実施形態では８４デシテックス、７２フィラメントのポリエステル糸（商品名：Ｐｅ８４Ｔ７２Ｆ、東レ製）］を用い、添え糸の弾性糸１１として、２２〜４４デシテックスのベアのポリウレタン糸または２２〜４４デシテックスのベアのポリウレタン糸の外周に１０〜３３デシテックスのナイロン糸を巻き付けたシングルカバリングヤーン［本実施形態では２２デシテックスのベアのポリウレタン糸（商品名：ロイカＢＸ２２Ｔ、旭化成製）］を用いている。また、１ニットと１ミスを繰り返して編成する１コース（Ｂ）の弾性糸１２として、２３５〜３１０デシテックスのベアのポリウレタン糸の外周に５６〜８４デシテックスのポリエステル糸を巻き付けたシングルカバリングヤーン［本実施形態ではライラク１２７Ｃタイプの２３５デシテックスのベアのポリウレタン糸の外周に５６デシテックスのポリエステル糸を巻き付けたシングルカバリングヤーン（商品名：ＴＳ２３５５６、オペロンテックス社製）］を用いている。
【００２３】
ニットのみで編成する前記３コース（Ａ）の編密度は、コース方向で１インチ当たり６０〜８０コース（本実施形態では１インチ当たり６８コース）とし、ウエル方向で１インチあたり６０〜８０ウエル（本実施形態では１インチ当たり６０ウエル）としている。
【００２４】
編み立てたバンド部３用の伸縮性編地に対して、精練、前処理を行った後、該伸縮性編地の表面にインクジェットプリンタによるプリント加工を行う。プリント後、スチーム（発色工程）、後処理、テンター仕上げ、短冊状に裁断、長さ方向両端部の縫着、プレス（２つ折り）といった工程を経て、表面に柄がプリントされたバンド部３が得られ（図２参照）、該バンド部３を衣類本体部２に縫着することにより男性用パンツ１の製造が完了する。
【００２５】
前記のように、本実施形態のバンド部を備えた男性用パンツ１では、プリント加工を施すバンド部３を、該バンド部３以外の衣類本体部２とは別体の伸縮性編地から形成しているため、編み立てたバンド部３用の伸縮性編地に予めプリント加工を施し、その後、裁断、両端縫着、プレス（２つ折り）等の工程を経て、衣類本体部２に縫着、一体化するだけで、バンド部３にプリント柄を設けた衣類を容易に製造することができる。
【００２６】
また、前記のように、バンド部３の伸縮性編地を天竺編組織とし、ポリエステル糸からなる非弾性糸１０にポリウレタン糸からなる弾性糸１１を添えてニットのみで編成する３コース（Ａ）を繰り返し設けることで、適度なパワーとソフトな肌触りが得られると共に、バンド部３を着用時の伸長状態、即ち非伸長状態から５〜２０％伸長させてもプリント加工前の生地色が表面に現出しないものとすることができる。
【００２７】
さらに、前記ニットのみで編成する３コース（Ａ）の後に、シングルカバリングヤーンからなる弾性糸１２で１ニットと１ミスを繰り返して編成する１コース（Ｂ）を設けておくことで、プリント加工時の加熱による伸縮性編地の劣化を防止して該編地のパワーを保持させることが可能となる。
【００２８】
即ち、本実施形態によれば、良好な着用感を与え、かつ着用時の伸長状態でもプリントされた柄等が鮮明に保持されるデザイン性豊かなバンド部３を男性用パンツ１の腰ゴムとして設けることができる。
【００２９】
第２実施形態では、バンド部３を形成する伸縮性編地の編成に用いる編み糸の種類を変えた点以外は第１実施形態と同様としている。
【００３０】
第２実施形態のバンド部３を形成する伸縮性編地において、ニットのみで編成する前記３コース（Ａ）の非弾性糸１０として、５６デシテックス、７２フィラメントのポリエステル糸（商品名：Ｐｅ５６Ｔ７２Ｆ、東レ製）を用い、添え糸の弾性糸１１として、２２デシテックスのベアのポリウレタン糸の外周に１３デシテックスのナイロン糸を巻き付けたシングルカバリングヤーン（商品名：Ｓ２２１３Ｓ、オペロンテックス社製）を用いている。また、１ニットと１ミスを繰り返して編成する１コース（Ｂ）の弾性糸１２として、ライラク１２７Ｃタイプの３１０デシテックスのベアのポリウレタン糸の外周に５６デシテックスのポリエステル糸を巻き付けたシングルカバリングヤーン（商品名：ＴＳ３１０５６、オペロンテックス社製）を用いている。
【００３１】
第２実施形態においても、良好な着用感を与え、かつ着用時の伸長状態でもプリントされた柄等が鮮明に保持されるデザイン性豊かなバンド部３を男性用パンツ１の腰ゴムとして設けることができる。
【００３２】
図４は第３実施形態を示している。
第３実施形態ではバンド部を備えた衣類としてブラジャー２０を作製している。該ブラジャー２０は、背面側のバック部２１ｃが左右に分割せず一枚布で形成されたかぶりタイプのスポーツ用ブラジャーとし、図４に示すように、肩紐２１ｄの一端と連結する左右一対のカップ部２１ａと、該カップ部２１ａを連結する前面側の土台部２１ｂと、該土台部２１ｂの両端に連続し肩紐２１ｄの他端と連結するバック部２１ｃとからなるブラジャー本体部２１の下端（土台部２１ｂおよびバック部２１ｃの下端）に第１実施形態と同様のバンド部２２を縫着により連続的に取り付けている。
【００３３】
図５は第４実施形態を示している。
第４実施形態ではバンド部を備えた衣類として、裾部が足首に位置する下半身用衣類のレギンス３０を作製している。該レギンス３０は、図５に示すように、左右一対のレッグ部３１ａとヒップ部３１ｂからなる衣類本体部３１の上端の腰ゴムおよび下端の裾口ゴムとして、第１実施形態と同様のバンド部３２、３３を縫着により取り付けている。
【符号の説明】
【００３４】
１  下半身用衣類（男性用パンツ）
２、３１  衣類本体部
３、２２、３２、３３  バンド部
１０  非弾性糸
１１、１２  弾性糸
２０  ブラジャー
２１  ブラジャー本体部
３０  下半身用衣類（レギンス）
【図１】
0005723180.tif 000002
【図２】
0005723180.tif 000003
【図３】
0005723180.tif 000004
【図４】
0005723180.tif 000005
【図５】
0005723180.tif 000006
【図６】
0005723180.tif 000007
【図７】
0005723180.tif 000008